(57)【特許請求の範囲】
【請求項１】
給水主管から建築物内に配備される流し台、洗面器、大便器、風呂場等の水栓へ、建築物内の壁体やスラブ等の建築構造物を挿通しつつ給水・給湯用の配管路を形成する配管構造であって、
建築構造物に切り欠きによって形成される配管用の溝部に挿嵌されるユニット体を形成し、
そのユニット体は、直管部の中間所定箇所に継ぎ目なく蛇腹部を設けたステンレス製のフレキシブル管を予め一体化したものであって、このフレキシブル管の直管部をユニット体の直線配管箇所に相当するように配置し、且つ、フレキシブル管の蛇腹部をユニット体の屈曲配管箇所に相当させると共に、屈曲配管箇所の屈曲形状に沿うように屈折させて配置し、
このフレキシブル管が組み込まれたユニット体を前記配管用の溝部に挿嵌取付け、フレキシブル管の一端側の直管部は水栓エルボ側へと接続させ、フレキシブル管の他端側の直管部は給水主管側へと接続させることを特徴とする給水・給湯用配管路の配管構造。
【発明の詳細な説明】
【０００１】
【発明の属する技術分野】
この発明は、給水主管と建築物内に配備される水栓との間の給水・給湯用配管路を、漏水防止性を高めると共に、配管接続時の微調整を容易とし、低コストで作業性よく配管路を形成することが可能な配管構造に関するものである。
【０００２】
【従来の技術】
図５は、建築物内に設けられる流し台、洗面器、大便器、風呂場（図示略）等の水栓２と、この水栓２に給水や給湯を行う給水主管１とを接続する場合の配管構造の従来例を示している。すなわち、建築物内の壁体４の所定箇所には水栓エルボ６が埋設され、この水栓エルボ６の一端口である水平口６ａに水栓２が接続されている。
【０００３】
そして、９０°方向に屈曲されている水栓エルボ６の他端口である垂下口６ｂには、壁板４に形成された溝部４ａ内で上下方向に配管される直管３１の一端部が接続され、この直管３１の他端部は、壁体４とスラブ５との境界部分における溝部４５ａに配置されたエルボ７の一端口である垂直口７ａに接続されている。
【０００４】
さらに、このエルボ７の他端口である水平口７ｂには、スラブ５に形成された溝部５ａ内で水平方向に配管される直管３２の一端部が接続され、また、この直管３２の他端部は、エルボ８の一端口である水平口８ａに接続されている。エルボ８の他端口である垂下口８ｂには、スラブ５の垂直状の溝部５ｂより引き出されて垂下される直管３３の一端部が接続され、この直管３３の他端部は、エルボ９の一端口である垂直口９ａに接続されている。エルボ９の他端口である水平口９ｂには、直管３４が接続され給水主管１へと接続されている。
【０００５】
【発明が解決しようとする課題】
しかしながら、このような従来の配管構造では、給水主管１から水栓２までの間の配管路３は、少なくとも垂直方向に配置される直管３１，３３と水平方向に配置される直管３２，３４とが、９０°方向に屈曲されているエルボ７，８，９を介し階段状に組み合わされ順次配管される構造とされている。
【０００６】
このように、所定長さに切断された多数の直管と、各直管同士を９０°方向に組み合わせて接続するための多数のエルボを必要とする。配管路の各箇所の寸法に合わせた所定長さの直管を得るためには、管体に罫書きをし精度よく切断を行わなければならない。また、それぞれの直管を多数のエルボを用いて階段状に接続しなければならず、熟練した技術が必要であり、作業に手間がかかると共に、部品点数も増える等の問題がある。
【０００７】
さらに、現場作業時に各種の取付け工具を用いてパーツを組み付けなければならないため、作業に時間がかかると共に、取付け工具やパーツ等の紛失の恐れもあり、作業の迅速性を減退させ、また、コスト高になる等の問題がある。
【０００８】
この発明は、このような事情に基づいてなされたものであり、その目的とするところは、直管と直管とを屈曲型継手部材を介して階段状に組み合わせつつ順次配管して配管路を形成するのではなく、１本の管体を配管箇所の形状に沿わせて配置するだけで、耐久性、耐震性、漏水の防止性に優れた排水路を低コストで作業性よく形成することが可能な給水・給湯用配管路の配管構造を提供することにある。
【００１０】
【課題を解決するための手段】
この発明は、上記のような目的を達成するために、請求項１記載のように、給水主管から建築物内に配備される流し台、洗面器、大便器、風呂場等の水栓へ、建築物内の壁体やスラブ等の建築構造物を挿通しつつ給水・給湯用の配管路を形成する配管構造であって、建築構造物に切り欠きによって形成される配管用の溝部に挿嵌されるユニット体を形成し、そのユニット体は、直管部の中間所定箇所に継ぎ目なく蛇腹部を設けたステンレス製のフレキシブル管を予め一体化したものであって、このフレキシブル管の直管部をユニット体の直線配管箇所に相当するように配置し、且つ、フレキシブル管の蛇腹部をユニット体の屈曲配管箇所に相当させると共に、屈曲配管個所の屈折形状に沿うように屈曲させて配置し、このフレキシブル管が組み込まれたユニット体を前記配管用の溝部に挿嵌取付け、フレキシブル管の一端側の直管部は水栓エルボ側へと接続させ、フレキシブル管の他端側の直管部は給水主管側へと接続させることを特徴とする。
【００１１】
【作用】
建築物内に設けられる流し台、洗面器、大便器、風呂場等の水栓と給水主管との間に配管路を形成する際には、ステンレス製フレキシブル管を配管路の直線箇所にその直管部を相当させ、また、配管路の屈曲配管箇所には、蛇腹部を相当させると共に、この蛇腹部を屈曲配管箇所の屈曲形状に沿うように屈折させ、作業現場において管体の切断やエルボ等の屈曲型継手部材を用いることなく、１本の管体の屈折作業のみで配管路が形成できる。また、ユニット体方式とした場合には、配管路に予めステンレス製フレキシブル管を内蔵したユニット体を埋設するだけで配管路が形成できる。
【００１２】
【発明の実施の形態】
以下、この発明の実施例を図面に基づき詳細に説明する。図１は、この発明に係る配管構造の１例を示す説明用平面図であり、図２は、図１のＡ−Ａ線断面図である。なお、従来と同一部材には同一符号を付して説明する。
【００１３】
図２に示すように、建築物内に設けられた流し台、洗面器、大便器、風呂場（図示略）等の壁体４の所定箇所には、水栓２が取付けられている。また、基礎Ｐ（図１参照）と一体化された壁体４の上下方向には、配管用の溝部４ａが形成され、スラブ５には、水平方向の溝部５ａと垂直状の溝部５ｂが形成されている。溝部４ａと溝部５ａとは、溝部４５ａにより連通されている。
【００１４】
溝部４ａの上端側には、９０°方向に屈曲された水栓エルボ６が埋設され、その一端口が水平口６ａとして壁体４に開口されるように取付けられている。したがって、水栓エルボ６の他端口は、垂下口６ｂとして壁体４の溝部４ａ内で下方側に向くように配置されている。また、この上下方向の溝部４ａ内には、ステンレス製のフレキシブル管１０の直管部１０ａが配置されると共に、その直管部１０ａの上端が水栓エルボ６の垂下口６ｂに接続されている。
【００１５】
ステンレス製のフレキシブル管１０としては、図３（ａ）にも示したように、直管部１０ａの中間部分の３カ所に所定間隔を隔てて蛇腹部１０ｂ，…を形成した直線状のステンレス製のフレキシブル管が用いられる。このフレキシブル管は、蛇腹部１０ｂを介して屈折可能とされるのであるが、屈折前には屈折前の状態を維持し、屈折後には屈折後の状態を維持するような剛性を有するように形成されたものが好適である。
【００１６】
なお、用いられるステンレス製のフレキシブル管１０は、図３（ｂ）に示したように、両端の直管部１０ａ，１０ａ以外の中間部分の全部を蛇腹部１０ｂとしたものを用いてもよい。
【００１７】
次に、壁体４とスラブ５との境界部分におけるＬ字状の溝部４５ａである屈曲配管箇所には、フレキシブル管１０の第１の蛇腹部１０ｂが相当するように配置する。そして、この第１の蛇腹部１０ｂをＬ字状溝部４５ａの屈曲形状に沿うように屈折させ、スラブ５の溝部５ａ内で水平方向に配管する。
【００１８】
また、スラブ５からの引き出し溝部５ｂである屈曲配管箇所には第２の蛇腹部１０ｂが相当するように配置し、この第２の蛇腹部１０ｂを溝部５ｂに沿うようにＬ字状に屈折させ、スラブ５の溝部５ｂ内で垂直に配管した後にスラブ５へ引き出し、第３の蛇腹部１０ｂを介して水平方向に屈折した後に直管部１０ａ側を給水主管１と接続する。
【００１９】
なお、給水主管１と水栓２間の配管路３におけるＸ，Ｙ部分のフレキシブル管１０は、２次元方向において階段状に屈折配管されるように示されているが、図１の点線で示したＹ部分のように、蛇腹部１０ｂと蛇腹部１０ｂとの間を４５°方向にずらして配管することも可能である。
【００２０】
すなわち、フレキシブル管１０の蛇腹部１０ｂは、３次元方向に屈折させることができるので、給水，給湯の流れをスムーズに行うべく、屈曲配管箇所を緩やかな流れの屈曲配管路、例えば４５°方向等とすることが容易となる。
【００２１】
このように、この実施例によれば、建築物内に設けられる流し台、洗面器、大便器、風呂場等に配備される水栓２と給水主管１との間に配管路３を形成する際、配管路３の直線箇所にはフレキシブル管１０の直管部１０ａを相当させ、配管路３の屈曲配管箇所には蛇腹部１０ｂを相当させ、この蛇腹部１０ｂを屈曲配管箇所の屈曲形状に沿うように屈折させればよい。
【００２２】
このため、従来のように直管と直管とをエルボ等の屈曲型継手部材を介して階段状に組み合わせて配管路を形成する必要がなく、１本の管体の屈折作業のみで給水主管と水栓との間に耐久性に優れたステンレス製の配管路を配管することができる。
【００２３】
水栓２は壁体４のタイル目地がクロスする箇所等から引き出すように取付けることが美観的にもよい場合には、このフレキシブル管は左右前後に微調整が可能であり、容易に水栓２の引き出し位置に合わせて配管調整を行うことができる。
【００２４】
また、この配管路には、屈曲部分においても継ぎ目が全くないため漏水の恐れがなく、しかも、屈曲部分は蛇腹部とされているので、変位吸収性や耐震性に優れた配管路とすることができる。
【００２５】
したがって、直管部と直管部とを屈曲型継手部材を介して階段状に多数組み合わせつつ配管させる従来法に比して、耐久性、耐震性、漏水防止性に優れた配管路を熟練技術を要せず低コストで作業性よく形成することができる。
【００２６】
一方、壁体４やスラブ５に形成される配管用の溝部４ａ，４５ｂ，５ａ，５ｂ等は、切り欠き（ハツリ）により形成された後に同部材等により埋設されるのであるが、各溝部内にフレキシブル管を予め一体化したユニット方式のものとしてもよい。
【００２７】
すなわち、壁体４、スラブ５等の建築構造物に形成される配管用の溝部４ａ，４５ｂ，５ａ，５ｂに挿嵌されるユニット体２０を形成する。そして、このユニット体２０に直管部１０ａの中間所定箇所に継ぎ目なく蛇腹部１０ｂを設けたステンレス製のフレキシブル管１０を、ユニット体２０の直線配管箇所には、直管部１０ａが相当するように配置し、且つ、蛇腹部１０ｂをユニット体２０の屈曲配管箇所に相当させると共に、屈曲配管箇所の屈曲形状に沿うように屈折させて組み込んでおく。なお、２０ａ，２０ｂは、それぞれの蛇腹部１０ａに配した直管部である。
【００２８】
このユニット体２０を配管用の溝部４ａ，４５ｂ，５ａ，５ｂに挿嵌して取付け、フレキシブル管１０の一端側の直管部１０ａは水栓エルボ６側へと接続させ、フレキシブル管１０の他端側の直管部１０ａは給水主管１側へと接続させる。
【００２９】
このユニット方式は、規格が統一されているような集合住宅や一戸建ての新築住宅の場合等には、量産に適しさらに手間をかけずに上記効果を有する配管路を形成することができる。
【００３０】
なお、図示したものは、配管路の１実施例を示したものであり、その他種々の形状の配管路に適応することができることは勿論であり、また、ユニット体の形状なども種々の配管路の形状に適応して設計変更が可能である。
【００３１】
【発明の効果】
以上説明したように、この発明によれば、１本の管体の屈折作業のみで給水主管と水栓との間に耐久性、耐震性、漏水防止性に優れたステンレス製の配管路を、低コストで作業性よく形成することができる。
【図面の簡単な説明】
【図１】この発明に係る配管構造を示す説明用平面図である。
【図２】図１におけるＡ−Ａ線断面図である。
【図３】この発明の実施に用いるステンレス製のフレキシブル管を示す説明図である。
【図４】この発明に係るユニット体を示す説明用断面図である。
【図５】従来の配管構造を示す説明用断面図である。
【符号の説明】
１      給水主管
２      水栓
１０    ステンレス製のフレキシブル管
１０ａ  直管部
１０ｂ  蛇腹部
２０    ユニット体
【図１】
0003668920.tif 000002
【図２】
0003668920.tif 000003
【図３】
0003668920.tif 000004
【図４】
0003668920.tif 000005
【図５】
0003668920.tif 000006